(57)【特許請求の範囲】
【請求項１】
無塵服の内面に、作業者の左右の肩部に夫々当接する肩パッド部を設けると共に、この左右の夫々の肩部に設けた前記肩パッド部間で且つ前記作業者の首部下方の前記肩パッド部間の中間位置に当接する肩背中央パッド部を設けて、作業者がこの無塵服を着用した際に、左右の前記肩パッド部によって前記首部と前記肩部との間に首肩間空間部が形成され、且つ左右の前記肩パッド部と前記背肩中央パッド部とによって左右の肩甲骨の上方に背中空間部が形成され、この首肩間空間部と背中空間部とから成る空気循環路を通じて前記作業者の背中部と胸部との間を前記無塵服内の空気が流動するように構成したことを特徴とする無塵服。
【請求項２】
前記肩パッド部及び前記肩背中央パッド部の一部が前記無塵服と縫着してない無縫着部を設け、この無縫着部は前記作業者が動作したときに前記無塵服から離れて、前記作業者と前記無塵服との空間部を広げ、空気が流動し易くなる構成としたことを特徴とする請求項１記載の無塵服。
【請求項３】
前記肩パッド部及び前記肩背中央パッド部は、ダブルラッセル構造で形成していることを特徴とする請求項１，２のいずれか１項に記載の無塵服。
【発明の詳細な説明】
【技術分野】
【０００１】
本発明は、例えば、半導体・フラットパネルディスプレイ関連、医療・医薬品関連或いは食品関連などの製造工場内や開発研究所内に設けられたクリーンルーム内で着用する無塵服において、無塵服内部の空気が流動することで無塵服内部の熱気を帯びた空気の滞留を防ぎ、無塵服を着用した作業者に熱気による発汗作用などの不快感を生じさせないエアーサイクルシステムを備えた無塵服に関するものである。
【背景技術】
【０００２】
一般的に、半導体・フラットパネルディスプレイ関連、医療・医薬品関連或いは食品関連などの製造工場や開発研究所などにおいては、その製品を製造或いは開発する際に塵埃等のパーティクル汚染を懸念する場合においては、このパーティクル汚染を防止するためクリーンルームと呼ばれる高清浄度の室内で作業が行われており、このクリーンルーム内では、作業者は作業者自身からの発塵抑制とその飛散防止の目的で無塵服を着用し作業を行っている。
【０００３】
従来、この無塵服は作業者の着心地よりも、まずは、作業者からの発塵を如何に低減するかということに重点が置かれ開発されてきた。
【０００４】
従って、従来の無塵服は、作業者の体から発せられる皮膚片や汗などの汚染物をクリーンルーム内に放出させないために通気性が非常に悪く、また、無塵服内部の空気の循環も殆ど無く、作業者の体温で熱気を帯びた空気が無塵服内に滞留してしまうので無塵服内部が蒸れ易くなっているため、クリーンルーム内における製造装置などの保守作業や重量物の運搬で直ぐに汗をかいたり、また、長時間の着用により作業者が疲労感を覚えたりするなど、決して作業者の着心地や作業性を重視した無塵服ではなかった。
【発明の概要】
【発明が解決しようとする課題】
【０００５】
そこで、本発明は、発塵性が少ないことは勿論のこと、作業者がクリーンルーム内で長時間着用したときの疲労感を和らげ、また、無塵服内部の空気が循環し、体温で熱気を帯びた空気で無塵服内が蒸れ難くなり、作業時に不快感を生じさせない着心地の良さも重視した画期的な無塵服を提供することを目的としている。
【課題を解決するための手段】
【０００６】
添付図面を参照して本発明の要旨を説明する。
【０００７】
無塵服１の内面に、作業者の左右の肩部に夫々当接する肩パッド部２を設けると共に、この左右の夫々の肩部に設けた前記肩パッド部２間で且つ前記作業者の首部下方の前記肩パッド部２間の中間位置に当接する肩背中央パッド部３を設けて、作業者がこの無塵服１を着用した際に、左右の前記肩パッド部２によって前記首部と前記肩部との間に首肩間空間部６が形成され、且つ左右の前記肩パッド部２と前記背肩中央パッド部３とによって左右の肩甲骨の上方に背中空間部７が形成され、この首肩間空間部６と背中空間部７とから成る空気循環路４を通じて前記作業者の背中部と胸部との間を前記無塵服１内の空気が流動するように構成したことを特徴とする無塵服に係るものである。
【０００８】
また、前記肩パッド部２及び前記肩背中央パッド部３の一部が前記無塵服１と縫着してない無縫着部５を設け、この無縫着部５は前記作業者が動作したときに前記無塵服１から離れて、前記作業者と前記無塵服１との空間部を広げ、空気が流動し易くなる構成としたことを特徴とする請求項１記載の無塵服に係るものである。
【０００９】
また、前記肩パッド部２及び前記肩背中央パッド部３は、ダブルラッセル構造で形成していることを特徴とする請求項１，２のいずれか１項に記載の無塵服に係るものである。
【発明の効果】
【００１０】
本発明は上述のように構成したから、両肩部に設けた肩パッド部が無塵服と作業者の体との密着性を緩和し、肩部への負荷を軽減するので、作業者は長時間無塵服を着用していても疲労感を覚えることが殆どなく、また、両肩部の肩パッド部と首部の下方の肩背中央パッド部とによって作業者の体と無塵服とが密着しない空間部が形成され、この空間部によって作業者の体温で熱気を帯びた空気がそこに滞留せずに無塵服内部を流動することができ、従って、無塵服内部が蒸れ難くなり、作業者が感じる暑さを和らげることができるので、作業者が発汗せずに、不快感を感じることなく快適に作業を行うことができる画期的な無塵服となる。
【００１１】
即ち、本発明は、肩パッド部及び肩背中央パッド部を設けた周辺が浮き上がり作業者の体と無塵服の間に空間部が形成され、この空間部が作業者の背中部と胸部とを空気が流動することができる空気循環路となり、一番蒸れ易いとされる背中部から胸部にかかる部分をこの空気循環路によって空気が流動することで、作業者の体温で熱気を帯びた無塵服内の空気が一箇所に滞留しないので、無塵服内部が蒸れ難くなり、作業者が快適に作業することができる機能性に優れた無塵服となる。
【００１２】
また、請求項２記載の発明においては、作業者が動作したときに無塵服内面から夫々のパッド部に設けた無縫着部が浮き離れた状態となり、より無塵服内の熱気を帯びた空気が流動し易くなり、無塵服内部が蒸れ難くなる優れた無塵服となる。
【００１３】
また、請求項３記載の発明においては、肩パッド部がより高いクッション性を有することとなり、作業者の肩部に掛かる負荷を吸収し、無塵服を長時間着用しても疲労感を和らげるより実用性の高い優れた無塵服となる。
【図面の簡単な説明】
【００１４】
【図１】本実施例を示す説明正面図である。
【図２】本実施例を示す説明背面図である。
【図３】本実施例の肩パッド部を示す説明図である。
【図４】本実施例の肩背中央パッド部を示す説明図である。
【図５】別実施例の通気孔部を示す説明背面図である。
【図６】別実施例の通気孔部を示す説明側面図である。
【発明を実施するための形態】
【００１５】
好適と考える本発明の実施形態（発明をどのように実施するか）を、図面に基づいて本発明の作用を示して簡単に説明する。
【００１６】
作業者が本発明の無塵服１を着用した際に、作業者の両肩部に左右の肩パッド部２が当接し、また、この左右肩部の中間で首部の下方にも肩背中央パッド部３が当接することで、このパッド部の周囲が浮き、作業者の体と無塵服１が密着しない空間部が生じる。
【００１７】
この空間部は、この左右の肩パッド部２によって首部と肩部の間に首肩間空間部６が形成され、また、左右の肩パッド部２と肩背中央パッド部３とによって左右の肩甲骨の上方に背中空間部７が形成され、作業者が無塵服１を着用した際に、これら空間部によって無塵服１内の作業者の背中部略全面と胸部とを空気が流動する空気循環路４が形成されることとなる。
【００１８】
この空気循環路４によって、作業者が無塵服１を着用した際に一番蒸れ易い背中部から胸部において、作業者の体温で熱気を帯びた空気がそこに滞留することなく無塵服１内を流動するので、無塵服１内部が蒸れ難くなり、作業者は発汗するなどの不快な思いをしなくても済むこととなる。
【００１９】
しかも、左右の肩パッド部２がクッション性を有し、無塵服１を着た際の肩部に掛かる負荷を軽減し、作業者が長時間無塵服１を着用しても疲労感を和らげることができ、作業者の着心地も重視し、快適に作業を行うことができる画期的な無塵服となる。
【実施例】
【００２０】
本発明の具体的な実施例について図面に基づいて説明する。
【００２１】
本実施例は、例えば、半導体・フラットパネルディスプレイ関連、医療・医薬品関連或いは食品関連などの製造工場内や開発研究所内に設けられた高清浄度の維持が必要なクリーンルームで着用する無塵服１であって、この無塵服１の内面にパッド部を設けることで作業者の着用時の着心地を向上し、また、長時間着用することによる疲労感の低減を図った画期的な無塵服である。
【００２２】
無塵服１は、個人の体型にもよるが、一般的には、着用したときには体全体に密着状態となるのではなく適度な余裕があり、上半身においては、主に両肩部から首元部にかけての部分と首部の下方（頚椎の湾曲した突出部付近）に無塵服１が当接し、他の部分、例えば、胸部や背中部の脊柱と肩甲骨の間などは比較的空間部ができ易い形状となっている。
【００２３】
しかし、この空間部の空気が作業者の体温で熱気を帯び、空間部に滞留することで無塵服１内部が蒸れ易くなる要因となっている。
【００２４】
従って、作業者の体と無塵服１が当接するところにパッド部を配置することで無塵服１内部を空気が流動する通路ができ、無塵服１内部の空気が循環するようになり、これまで熱気を帯びた空気が滞留していた空間部にも空気の流動が生じ熱気の滞留もなくなるので、作業者は熱気による不快感を感じずに快適に作業を行うことができる。
【００２５】
従って、無塵服１内部に多数のパッド部を設け、空気が流動するための空間部を多く生じさせるほうが、より快適な着心地を得る無塵服１となるが、パッド部を多く設けることで無塵服１自体のコストを上げ、また、量産性を低下させてしまうので、無塵服１に設けるパッド部は、適正な位置に必要最小限の数だけ設けることが望ましい。
【００２６】
そこで、本実施例では、図１，図２に示すように、頭部を覆うフード部８と上着部９とズボン部10とを一体形成した無塵服１において、作業者がこの無塵服１を着用したときに、この無塵服１の内面に作業者の両肩部及びこの両肩部の中間位置で且つ首部の下方が当接する３箇所に夫々肩パッド部２と肩背中央パッド部３とを設けた構成としている。
【００２７】
また、夫々のパッド部は５ｍｍ程度の厚さを有するダブルラッセル構造に形成し、パッド部自体の空気の通気性を向上させると共にクッション性も持たせている。
【００２８】
上述のように両肩部及び首部の下方の三箇所にパッド部を配置して、この通気性を有するパッド部自体が空気循環路４となり、更に、このパッド部の厚みによってパッド部の周囲を浮かせることで、肩パッド部２と肩背中央パッド部３との間にも空気循環路４が形成され、首部から左右両肩部にかけての略全ての領域が空気循環路４となる。
【００２９】
このように首部から両肩部にかけて形成された空気循環路４によって、もともと空間部があり、これまで作業者の体温で熱気を帯びた空気が滞留することで蒸れ易かった背中部と胸部とが空気循環路４を介して連通することとなる。
【００３０】
従って、作業者が無塵服１を着たときに、熱気の滞留により一番蒸れ易い背中部から胸部にかけて空気が流動し循環するようになり、作業者の体温で熱気を帯びた空気が背中や胸部に滞留することが無くなったので、無塵服１内部が蒸れ難くなり、作業者は快適に作業を行うことができることとなる。
【００３１】
しかも、ダブルラッセル構造によるクッション機能を有することで、両肩部への接触面積が広がり、肩部に掛かる負荷を軽減し、作業者の疲労感を和らげているので、クリーンルーム内の長時間作業においても疲れ難く、着心地が良いので快適に作業を行うことができることとなる。
【００３２】
また、パッド部について詳しく説明すると、図３に示すように、肩パッド部２は略正三角形で各頂部を丸みを帯びた形状に形成し、この肩パッド部２を無塵服１に縫着する際に、肩パッド部２の全周を縫着しないで、この正三角形状の二辺のみを縫着し、上腕部側（下方側）の一辺は無塵服１と縫着しない無縫着部５を設けている。
【００３３】
また、図４に示すように、肩背中央パッド部３は、底辺よりも高さが短い二等辺三角形に形成し、この二等辺三角形の頂点を下方に向けて無塵服１に縫着し、この縫着の際に、肩背中央パッド部３の全周を縫着しないで、頂点と底辺を結ぶ２つの辺の略中間点にそれぞれ無塵服１と縫着しない無縫着部５を設けている。
【００３４】
このように、夫々のパッド部に無塵服１と縫着しない無縫着部５を形成したことで、作業者が動作する度にこの無縫着部５が無塵服１から浮き離れる状態となることで、無塵服１内部の空気をより流動し易い状態にしている。
【００３５】
また、例えば、図５，図６に示すように、無塵服１の背面側のフード部８と上着部９との境界、具体的には、肩背中央パッド部３の上方に位置する首元や、フード部８の上部、具体的には、頭頂部にメッシュ状の通気孔部11を設けても良い。
【００３６】
この通気孔部11から放出された空気は、作業者の背面側より放出され、放出と同時にクリーンルームのダウンフローにより床下へ流れていくので、作業者が作業を行っている前面側に位置する製品や装置へのパーティクルの付着や、クリーンルーム内に拡散しパーティクル汚染となる心配をすることが無く、無塵服１内、特に頭部を覆うフード部８内は、作業者の体温で熱気を帯びた空気が外部に常に放出されることとなるので、より一層蒸れ難くなり、作業者は快適に作業を行うことができることとなる。
【００３７】
本実施例を上述のように構成したので、作業者がクリーンルームで作業を行う際に本実施例の無塵服１を着用することで、例えば、保守作業時や重量物運搬などの作業においても、従来の無塵服を着用した場合に比べて発汗作用が少なく、不快感を感じることが殆どなく、快適に作業することができ、また、長時間無塵服１を着用していても、無塵服１の密着による肩部への負荷がダブルラッセル構造のパッド部によって軽減されることで疲労感が和らぐので、作業者は長時間の労働にも対応することが出来ることとなり、従来の無塵服は発塵性を抑えることに重点を置いたことに対して、本発明は、発塵性を抑えることは勿論のこと、作業者の着心地、作業時の機能性の向上を重視した、より実用性の高い画期的な無塵服となる。
【００３８】
尚、本実施例では、パッド部は肩パッド部２と肩背中央パッド部３の三箇所しか設けていない構成としているが、例えば、胸部にもパッド部を設けることで、胸部側にも空気循環路４が形成され、より無塵服１内の空気の流動が向上するので、更に蒸れ難い無塵服１となる。
【００３９】
尚、本発明は、本実施例に限られるものではなく、各構成要件の具体的構成は適宜設計し得るものである。
【符号の説明】
【００４０】
１  無塵服
２  肩パッド部
３  肩背中央パッド部
４  空気循環路
５  無縫着部
６ 首肩間空間部
７ 背中空間部
【図１】
0005476085.tif 000002
【図２】
0005476085.tif 000003
【図３】
0005476085.tif 000004
【図４】
0005476085.tif 000005
【図５】
0005476085.tif 000006
【図６】
0005476085.tif 000007